(57)【特許請求の範囲】
【請求項１】
水槽に向けて吐水する状態に設けられた吐水部と、該吐水部とは別体をなすリモコンとを有し、該リモコンによって機能部を遠隔操作するようになしたリモコン操作式水栓において、
前記水槽を有する取付基体の上端部に前記リモコンを位置決状態に係止する凹部を設け、該凹部の底面を該取付基体のカウンタ面に対して段下がりの面を成す載置面として、該載置面に載置状態に前記リモコンを設け、該凹部に該リモコンを収容してあり、
前記載置面は前記水槽の側面に連続させてあるとともに、該載置面には該水槽の側面に向って傾斜した排水勾配が設けてあり、且つ前記リモコンは操作面となる上面が前記凹部に収容した状態で水平若しくは前記水槽とは反対側の前方の使用者に向けて前記排水勾配とは逆方向に傾斜した面となしてあることを特徴とするリモコン操作式水栓。
【発明の詳細な説明】
【技術分野】
【０００１】
この発明は、吐水部とは別体に構成され、吐水部から離隔して配置されたリモコンによって機能部を遠隔操作する形式のリモコン操作式水栓に関する。
【背景技術】
【０００２】
従来、水槽に向けて吐水する状態に設けられた吐水部と、吐水部とは別体をなすリモコン（リモートコントローラ）とを有し、リモコンによって機能部を遠隔操作するようになしたリモコン操作式水栓が公知である。
例えば下記特許文献１にこの種のリモコン操作式水栓が開示されている。
図６はその具体例を示している。
【０００３】
図において２００は流し台、２０２は流し台２００に設置された水栓で、シンク２０４に向けて吐水する吐水部２０６及び吐水部２０６とは別体に構成され、吐水部２０６から離隔して配置されたリモコン２０８を有している。
リモコン２０８は赤外線式のものでカウンタ２１０の上面、詳しくは流し台（取付基体）２００の最上面であるカウンタ面に載置されている。
【０００４】
しかしながらこのリモコン操作式水栓の場合、リモコン２０８が単にカウンタ面上に載せてあるだけであるため、リモコン２０８がカウンタ面から上向きに大きく突出してしまい、またリモコン２０８の収まりが良くない問題がある。
更にリモコン２０８に対して位置決めできないといった問題がある。
【０００５】
【特許文献１】特開２００１−２０７４９９号公報
【発明の開示】
【発明が解決しようとする課題】
【０００６】
本発明は以上のような事情を背景とし、リモコンが取付基体のカウンタ面から上向きに大きく突出してしまう問題を解決でき、またリモコンを収まりよく配置することのできるリモコン操作式水栓を提供することを目的としてなされたものである。
また本発明の他の目的は、リモコンを良好に位置決めできるようにすることを目的とする。
【課題を解決するための手段】
【０００７】
而して請求項１のものは、水槽に向けて吐水する状態に設けられた吐水部と、該吐水部とは別体をなすリモコンとを有し、該リモコンによって機能部を遠隔操作するようになしたリモコン操作式水栓において、前記水槽を有する取付基体の上端部に前記リモコンを位置決状態に係止する凹部を設け、該凹部の底面を該取付基体のカウンタ面に対して段下がりの面を成す載置面として、該載置面に載置状態に前記リモコンを設け、該凹部に該リモコンを収容してあり、前記載置面は前記水槽の側面に連続させてあるとともに、該載置面には該水槽の側面に向って傾斜した排水勾配が設けてあり、且つ前記リモコンは操作面となる上面が前記凹部に収容した状態で水平若しくは前記水槽とは反対側の前方の使用者に向けて前記排水勾配とは逆方向に傾斜した面となしてあることを特徴とする。
【発明の作用・効果】
【０００８】
以上のように本発明は取付基体のカウンタ面に対して段下がりの面をなす載置面を設け、その載置面にリモコンを載置状態に設けたもので、本発明によれば、リモコンが取付基体のカウンタ面から上向きに大きく突出してしまう問題を解決でき、またリモコンを収まり良く取付基体に設置しておくことができる。
ここでリモコンは脱着可能なものとなしておくことができる。
【０００９】
本発明では、取付基体の上端部にリモコンを位置決め状態に係止する凹部を設け、その底面を上記の載置面として凹部にリモコンを収容するようになしており、このようにすることで、リモコンを良好に位置決め状態に設置しておくことができる。
またリモコンを取付基体に位置決状態に設けておくことができるため、リモコンを取付基体の上面に設置した状態の下で操作する際、その操作性を良好となすことができる。
【００１０】
本発明ではまた、上記載置面を水槽の側面に連続させており、このようにしておけば、濡れた手でリモコンを操作した場合においても、載置面に滴り落ちた水或いは載置面に付着した水を水槽側に排出させることができる。
これによりリモコン周辺が濡れたままとなってしまう問題を解決することができる。
【００１１】
この場合において上記の載置面を取付基体の前端よりも後側の水槽側に設けておくことで、リモコンを濡れた手で操作した場合においても、取付基体のカウンタ面の前端部が水で濡れたり、汚れたりしてしまうのを防止でき、また使用者の服が濡れたリモコンに触れて、服を濡らしてしまうといった問題も解決することができる。
【００１２】
また本発明に従って、取付基体の上端部に凹部を設け、そこにリモコンを収容するようになした場合、凹部に水が溜まってしまうのを防止することができる。
加えて本発明では、上記載置面に水槽の側面に向って傾斜した排水勾配を設けており、これにより載置面上の水をより効果的に水槽側に排出することができる。
【００１３】
尚載置面の全体に水槽側に向って傾斜した排水勾配を設けておいた場合、リモコンの下面と上面とが互いに平行な面をなしていると、リモコンを載置面に載置状態に設置したとき、操作面となるリモコンの上面が水槽側に傾斜して下がった面となってしまう。
この場合使用者にとってリモコンの操作面（上面）が見辛くなり、操作もし辛くなってしまう。
【００１４】
ここにおいて本発明は、リモコンを載置面に載置した状態で、その操作面となる上面を水平若しくは水槽とは反対側の前方の使用者に向けて、排水勾配とは逆方向に傾斜した面となしており、このようにすることで、載置面に排水勾配を設けたにも拘わらず、リモコンの操作面となる上面が使用者にとって見易くなり、操作もし易くなる。
【発明を実施するための最良の形態】
【００１５】
次に本発明の実施形態を図面に基づいて詳しく説明する。
図１（参考例）において、１０は取付基体としてのキッチンの流し台で、１２は流し台１０に備えられたシンク、１４は同じく流し台１０に備えられたカウンタである。
この例において、シンク１２とカウンタ１４とは別部材にて構成してある。
【００１６】
シンク１２には、底部に排水口１６が設けられており、またカウンタ１４には、前方の使用者から見て後端位置に、物品載置面となる流し台１０の最上面であるカウンタ面１８から僅かに立ち上がるバックガード部２０が設けられている。
シンク１２は、その上端部に台部２２を有しており、その台部２２上に水栓２４が取り付けられている。
【００１７】
流し台１０には、カウンタ面１８に対して一段段下がりとなる載置面２６が設けられており、その載置面２６に水栓２４、詳しくはその機能部を遠隔操作する、水栓２４の吐水部２７とは別体をなすリモコン（リモートコントローラ）２８が載置状態且つ脱着可能に設けられている。
【００１８】
ここで載置面２６は、この例ではシンク１２側に、詳しくはシンク１２を構成する部材に設けられている。
また載置面２６は、シンク１２の左右方向全長に亘って設けられている。但し左右方向に部分的に載置面２６を設けておくこともできる。
更に載置面２６は、カウンタ１４の前端部１４Ａの後側において、シンク１２の前側の側面１２Ａに連続して設けられている。
【００１９】
図１（Ｂ）に示しているように、リモコン２８は扁平な板状をなす形態で構成されており、その操作面となる上面３０に吐水，止水その他の動作を水栓２４に行わせるための各種のスイッチ操作部３２が設けられている。
尚この例において、リモコン２８は操作面となる上面３０と下面３４とが互いに平行な面をなしている。
【００２０】
リモコン２８は水栓２４の受信部に信号を送信して機能部を遠隔操作するもので、その信号の授受の方式は赤外線の投光，受光による方式、電波による信号の授受の方式或いは有線による信号の授受の方式その他様々な方式が可能である。
【００２１】
以上のような本例によれば、リモコン２８がカウンタ面１８から上向きに大きく突出してしまう問題を解決でき、またリモコン２８を収まり良く流し台１０のカウンタ１４に設置しておくことができる。
【００２２】
また本例では載置面２６がシンク１２の側面１２Ａに連続した形態で設けてあるため、濡れた手でリモコン２８を操作した場合においても、載置面２６に滴り落ちた水或いは載置面２６に付着した水をシンク１２側に排出させることができる。
これによりリモコン２８周辺が濡れたままとなってしまう問題を解決することができる。
【００２３】
また載置面２６はカウンタ１４の前端部１４Ａよりも後側のシンク１２側に設けてあるため、リモコン２８を濡れた手で操作した場合においても、前端部１４Ａが水で濡れたり汚れたりしてしまうのを防止でき、また使用者の服が濡れたリモコン２８に触れて服を濡らしてしまうといった問題も解決することができる。
【００２４】
図２は他の参考例を示している。
この例は、流し台１０の上面即ちカウンタ１４の上面に、リモコン２８を位置決め状態に係止する凹部３６を設け、その凹部３６の底面を載置面２６として凹部３６にリモコン２８を収容するようになしたものである。
ここで凹部３６は、リモコン２８の平面形状に対応した平面形状をなしており、かかるリモコン２８を微小な嵌合クリアランスをもって内部に嵌入させるようになしてある。
【００２５】
この例によれば、リモコン２８を良好に位置決め状態に設置しておくことができる。
またリモコン２８を位置決状態としておくことができるため、リモコン２８をカウンタ１４の上面に設置した状態の下でこれを良好に操作することができる。
【００２６】
図３は更に他の参考例を示している。
この例では、凹部３６の形状を、その後端（図３（II）中右端）の面がシンク１２の内部に向けて開放した形状となし、凹部３６の底面即ち載置面２６を、シンク１２の前側の側面１２Ａに連続させてある。
また凹部３６には、そこに収容したリモコン２８がシンク１２側に脱落するのを防止するストッパ片３８が載置面２６から突出する状態で設けてある。
この例ではまた、載置面２６に、シンク１２の側面１２Ａに向って角度θで傾斜した排水勾配が設けてある。
【００２７】
このように本例では、凹部３６の底面即ち載置面２６がシンク１２の側面１２Ａに連続させてあり、且つ載置面２６に、シンク１２の側面１２Ａに向って角度θで傾斜した排水勾配が設けてあるため、凹部３６に水が浸入しても、またリモコン２８に水が付着してもこれをシンク１２側に良好に排出することができる。
【００２８】
次に図４は、本発明の実施形態を示している。
この例は、図３に示す例においてリモコン２８の操作面となる上面３０を、下面３４に対し上記の排水勾配とは逆方向に角度αで傾斜した面となした例である。
詳しくは、図４（Ｉ）に示しているようにリモコン２８を凹部３６内に収容した状態において、その操作面となる上面３０が載置面２６の傾斜方向とは逆方向に傾斜し、操作面となる上面３０が使用者に向って前方に斜めに傾斜するようになした例である。
【００２９】
載置面２６の全体にシンク１２側に向って傾斜した排水勾配を設けておいた場合、リモコン２８の下面３４と上面３０とが互いに平行な面をなしていると、リモコン２８を載置面２６に載置状態に設置したとき、操作面となるリモコン２８の上面３０がシンク１２側に傾斜して下がった面となってしまう。
この場合、使用者にとってリモコンの操作面となる上面３０が見辛くなり、操作もし辛くなってしまう。
【００３０】
ここにおいて本実施形態ではリモコン２８を載置面２６に載置した状態で、その操作面となる上面３０をシンク１２とは反対側の前方の使用者に向けて、排水勾配とは逆方向に傾斜した面となしたもので、このようにすることで載置面２６に排水勾配を設けたにも拘わらず、リモコン２８の操作面となる上面３０を使用者にとって見易くでき、また操作性も良好となすことができる。
尚、リモコン２８を載置面２６に載置した状態で、その上面が水平な面となすようにしておくこともできる。
【００３１】
図５は本発明の他の実施形態を示している。
この例は、リモコン２８の内部に磁石４０を設けるとともに、カウンタ１４の側にも対応する磁石４２を設け、それら磁石４０と４２との吸着により、リモコン２８を図４の載置面２６上に位置決めするようになしたものである。
尚磁石４０，４２の何れか一方を、他方の磁石に吸着する磁性材にて構成しておいても良い。
【００３２】
図５において、４４はリモコン２８におけるケース、４６は基板で、４８は基板４６上に設けられたスイッチ、５０はスイッチ４８の上方に配置された板ばねでスイッチ４８を押圧する突起５２が設けられている。
５４は板ばね５０をその上側から覆うメンブレンシートで、スイッチ４８に対応する上側位置に、上向きの膨出部がスイッチ操作部３２として備えられている。
尚図５に示すリモコン２８の構造，形態はあくまで一例で、リモコン２８は他の様々な構造，形態となしておくことができる。
同様に図１〜図３の参考例や図４の実施形態においても、リモコン２８として図５に示す構造，形態のもの或いは他の様々な構造，形態のものを用いることが可能である。
図５の本実施形態によれば、リモコン２８をより高精度で良好に位置決めすることができる利点が得られる。
【００３３】
以上本発明の実施形態を参考例とともに詳述したがこれはあくまで一例示であり、本発明においては水栓２４を上記以外の他の個所に設けることも可能であるし、また本発明はキッチンの流し台以外の、水槽を備えた各種取付基体へのリモコンの設置に適用可能である等、本発明はその趣旨を逸脱しない範囲において種々変更を加えた形態で構成可能である。
【図面の簡単な説明】
【００３４】
【図１】参考例であるリモコン操作式水栓を流し台への設置状態で示した図である。
【図２】他の参考例の図である。
【図３】更に他の参考例の図である。
【図４】本発明の実施形態の図である。
【図５】本発明の他の実施形態の図である。
【図６】従来のリモコン操作式水栓の一例を示した図である。
【符号の説明】
【００３５】
１２  シンク
１２Ａ  側面
１４  カウンタ
１８  カウンタ面
２４  水栓
２６  載置面
２７  吐水部
２８  リモコン
３０  上面
３２  スイッチ操作部
３６  凹部
４０，４２  磁石
【図１】
0005220468.tif 000002
【図２】
0005220468.tif 000003
【図３】
0005220468.tif 000004
【図４】
0005220468.tif 000005
【図５】
0005220468.tif 000006
【図６】
0005220468.tif 000007